(57)【要約】【課題】ショーケース本体の前面にエアカーテンを形成せずとも、商品収納室内を効率よく冷却することのできるショーケースを提供する。【解決手段】商品収納室２０の上部後端側に設けた第２の空気吐出口１３ｂから吐出する空気を商品収納室２０内の背面板１６に沿って下降させるとともに、各商品棚３０の下面側には背面板１６に沿って下降する空気を商品棚３０の後端側から前端側に向かって流通させながら下方に吐出する棚ダクト３７を設けたので、各棚ダクト３７から下方の商品棚３０に向かって冷気を吐出させることができ、ショーケース本体１０の前面にエアカーテンを形成せずとも、各商品棚３０の商品を効率よく冷却することができる。従って、ショーケース本体１０の上面を透明な天板１０ｂによって形成することにより、上段側の商品棚３０への視認性を向上させることができる。【選択図】  図２
2004271118.tif 000002
【特許請求の範囲】
【請求項１】
前面を開口したショーケース本体と、ショーケース本体内に設けられた商品収納室と、商品収納室内に互いに上下方向に間隔をおいて設けられた複数の商品棚と、商品収納室の背面側に沿って形成された通風路と、通風路内に配置された冷却器及び送風機とを備え、商品収納室の下部に設けた空気吸入口から通風路内に吸入した空気を冷却器によって冷却し、商品収納室の上部に設けた空気吐出口から商品収納室内に吐出するようにしたショーケースにおいて、
前記空気吐出口を商品収納室の上部後端側に設けるとともに、その吐出空気の少なくとも一部が商品収納室の背面と各商品棚の後端との間を商品収納室の背面に沿って下降するように構成し、
各商品棚の下面側には商品収納室の背面に沿って下降する空気を商品棚の後端側から前端側に向かって流通させながら商品棚の下方に吐出する空気通路を設けた
ことを特徴とするショーケース。
【請求項２】
前記空気通路を商品棚の前方及び下方に空気を吐出するように形成した
ことを特徴とする請求項１記載のショーケース。
【請求項３】
前記商品棚を互いに間隔をおいて配置された上部棚板及び下部棚板によって構成し、
前記空気通路を上部棚板と下部棚板との間に形成するとともに、下部棚板には空気通路の空気を吐出する複数の通気孔を設けた
ことを特徴とする請求項１または２記載のショーケース。
【請求項４】
前記商品棚の後端に、商品収納室の背面に沿って下降する空気を商品棚の空気通路内に流入させる空気案内部材を設けた
ことを特徴とする請求項１、２または３記載のショーケース。
【請求項５】
前記空気案内部材を商品棚の幅方向複数箇所に設け、
上方に配置される商品棚の空気案内部材を下方に配置される商品棚の空気案内部材よりも数が少なくなるように設けた
ことを特徴とする請求項４記載のショーケース。
【請求項６】
前記商品棚の後端に、商品収納室の背面に沿って下降する空気を商品棚の後端と商品収納室の背面との間に案内する空気案内部材を設けた
ことを特徴とする請求項１、２、３、４または５記載のショーケース。
【請求項７】
前記商品棚の後方に、商品棚の後端と商品収納室の背面との間を商品棚の幅方向両側方から覆う空気案内板を設けた
ことを特徴とする請求項１、２、３、４、５または６記載のショーケース。
【請求項８】
上方の商品棚の前端側に、商品棚上の空気の前方への流出を規制可能な所定高さの流出規制部材を設けた
ことを特徴とする請求項１、２、３、４、５、６または７記載のショーケース。
【発明の詳細な説明】
【０００１】
【発明の属する技術分野】
本発明は、例えばコンビニエンスストア等の店舗内に設置され、食料品や飲料等の商品を冷却して収納するショーケースに関するものである。
【０００２】
【従来の技術】
従来、この種のショーケースとしては、前面を開口したショーケース本体と、ショーケース本体内に形成された商品収納室と、商品収納室に互いに上下方向に間隔をおいて設けられた複数の商品棚と、商品収納室の底面側、背面側及び上面側に沿って形成された通風路と、通風路内に配置された冷却器及び送風機とを備え、商品収納室の下部前端側に設けた空気吸入口から通風路内に吸入した空気を冷却器によって冷却し、商品収納室の上部前端側に設けた空気吐出口から吐出することにより、ショーケース本体の前面開口部にエアカーテンを形成するようにしたものが知られている（例えば、特許文献１参照。）。
【０００３】
【特許文献１】
特開２０００−３０４４２５号公報
【０００４】
【発明が解決しようとする課題】
しかしながら、前記ショーケースでは、商品収納室の上面はショーケース本体の上面壁によって覆われているため、上段側の商品棚への視認性が悪く、商品の陳列効果を低下させている。そこで、ショーケース本体の上面を透明な天板によって形成すれば、視認性を向上させることができるが、このように構成した場合には通風路の空気吐出口を商品収納室の上部後端側に設けなければならない。その結果、吐出空気が最上段の商品棚に妨げられてショーケース本体の前面にエアカーテンを形成することができず、商品収納室内を効率よく冷却することができなくなるという問題点があった。
【０００５】
本発明は前記問題点に鑑みてなされたものであり、その目的とするところは、ショーケース本体の前面にエアカーテンを形成せずとも、商品収納室内を効率よく冷却することのできるショーケースを提供することにある。
【０００６】
【課題を解決するための手段】
本発明は前記目的を達成するために、請求項１では、前面を開口したショーケース本体と、ショーケース本体内に設けられた商品収納室と、商品収納室内に互いに上下方向に間隔をおいて設けられた複数の商品棚と、商品収納室の背面側に沿って形成された通風路と、通風路内に配置された冷却器及び送風機とを備え、商品収納室の下部に設けた空気吸入口から通風路内に吸入した空気を冷却器によって冷却し、商品収納室の上部に設けた空気吐出口から商品収納室内に吐出するようにしたショーケースにおいて、前記空気吐出口を商品収納室の上部後端側に設けるとともに、その吐出空気の少なくとも一部が商品収納室の背面と各商品棚の後端との間を商品収納室の背面に沿って下降するように構成し、各商品棚の下面側には商品収納室の背面に沿って下降する空気を商品棚の後端側から前端側に向かって流通させながら商品棚の下方に吐出する空気通路を設けている。これにより、通風路から吐出された空気の少なくとも一部が各商品棚の下面側に設けた空気通路から下方に吐出されることから、各商品棚の空気通路から吐出される空気によって下方の商品棚の商品が冷却される。
【０００７】
また、請求項２では、請求項１記載のショーケースにおいて、前記空気通路を商品棚の前方及び下方に空気を吐出するように形成している。これにより、請求項１の作用に加え、空気通路の前方からも空気通路内の空気が吐出されることから、前方への吐出空気によって商品棚の前端側の結露が防止される。
【０００８】
また、請求項３では、請求項１または２記載のショーケースにおいて、前記商品棚を互いに間隔をおいて配置された上部棚板及び下部棚板によって構成し、前記空気通路を上部棚板と下部棚板との間に形成するとともに、下部棚板には空気通路の空気を吐出する複数の通気孔を設けている。これにより、請求項１または２の作用に加え、空気通路が商品棚の上部棚板と下部棚板との間に形成されることから、空気通路が簡単な構造によって構成される。
【０００９】
また、請求項４では、請求項１、２または３記載のショーケースにおいて、前記商品棚の後端に、商品収納室の背面に沿って下降する空気を商品棚の空気通路内に流入させる空気案内部材を設けている。これにより、請求項１、２または３の作用に加え、商品収納室の背面に沿って下降する空気が商品棚の後端に設けた空気案内部材によって空気通路内に確実に流入する。
【００１０】
また、請求項５では、請求項４記載のショーケースにおいて、前記空気案内部材を商品棚の幅方向複数箇所に設け、上方に配置される商品棚の空気案内部材を下方に配置される商品棚の空気案内部材よりも数が少なくなるように設けている。これにより、請求項４の作用に加え、上方の商品棚の空気案内部材の数が下方の商品棚の空気案内部材よりも少なくなっていることから、各商品棚の空気通路への空気流入量がほぼ均一になる。
【００１１】
また、請求項６では、請求項１、２、３、４または５記載のショーケースにおいて、前記商品棚の後端に、商品収納室の背面に沿って下降する空気を商品棚の後端と商品収納室の背面との間に案内する空気案内部材を設けている。これにより、請求項１、２、３、４または５の作用に加え、商品収納室の背面に沿って下降する空気は、商品棚の後端に設けた空気案内部材によって商品棚と商品収納室の背面との間に案内され、商品棚の上面側に流出することがない。
【００１２】
また、請求項７では、請求項１、２、３、４、５または６記載のショーケースにおいて、前記商品棚の後方に、商品棚の後端と商品収納室の背面との間を商品棚の幅方向両側方から覆う空気案内板を設けている。これにより、請求項１、２、３、４、５または６の作用に加え、商品棚と商品収納室の背面との間が商品棚の後方に設けた空気案内部材によって商品棚の幅方向両側方から覆われることから、商品収納室の背面に沿って下降する空気が商品棚の側方に流出することがない。
【００１３】
また、請求項８では、請求項１、２、３、４、５、６または７記載のショーケースにおいて、上方の商品棚の前端側に、商品棚上の空気の前方への流出を規制可能な所定高さの流出規制部材を設けている。これにより、請求項１、２、３、４、５、６または７の作用に加え、上方の商品棚の前端側に設けた流出規制部材によって上方の商品棚上の空気の前方への流出が規制されることから、上方の商品棚の上面側に空気が溜まりやすくなり、通風路の空気吐出口から吐出された空気が必要以上に上方の商品棚の前方から外部に流出することがない。
【００１４】
【発明の実施の形態】
図１乃至図６は本発明の一実施形態を示すもので、図１はショーケースの全体斜視図、図２はその側面断面図、図３は商品棚の分解斜視図、図４はショーケースの平面断面図、図５は第４段目の下部棚板の斜視図、図６はショーケースの要部側面断面図である。
【００１５】
このショーケースは、前面を開口したショーケース本体１０と、ショーケース本体１０内に設けられた商品収納室２０と、商品収納室２０内に互いに上下方向に間隔をおいて計５段に設けられた複数の商品棚３０とから構成されている。
【００１６】
ショーケース本体１０は両側面を一対の側板１０ａによってそれぞれ覆われており、その上面は天板１０ｂによって覆われている。各側板１０ａ及び天板１０ｂはガラス板またはアクリル板等の透明性部材からなり、ショーケース本体１０内が透視可能になっている。ショーケース本体１０の下部には機械室１０ｃが設けられ、機械室１０ｃ内には圧縮機１１、凝縮器１２及び凝縮器用ファン１２ａ等の冷凍機器が収容されている。
また、ショーケース本体１０内には商品収納室２０の底面及び背面に沿って延びる通風路１３が設けられている。通風路１３は断熱壁１４によって囲まれるとともに、底面板１５及び背面板１６を間にして商品収納室２０と仕切られている。通風路１３の上端は、ショーケース本体１０の上面後端側を形成する断熱壁１４の上面部１４ａによって覆われており、上面部１４ａの下面側に設けられた空気案内板１７には多数の通気孔からなる第１の空気吐出口１３ａが設けられている。空気案内板１７は断熱壁１４の上面部１４ａから垂直下方に延び、その下端側は背面板１６の上端側に互いに間隔をおいて重なり合うように対向している。これにより、空気案内板１７と背面板１６との間に第２の空気吐出口１３ｂが形成されている。即ち、第１の空気吐出口１３ａからは通風路１３の空気の一部が前方に向かって吐出されるとともに、第２の空気吐出口１３ｂからは通風路１３の他の空気が下方に向かって吐出され、第２の空気吐出口１３ｂから吐出された空気は背面板１６に沿って下降するようになっている。また、ショーケース本体１０の前面開口部の下端には通風路１３の空気吸入口１３ｃが設けられ、商品収納室２０内の空気が空気吸入口１３ｃから通風路１３内に吸入されるようになっている。通風路１３内には冷却器１３ｄ及び送風機１３ｅが設けられており、冷却器１３ｄは通風路１３の背面側に配置され、送風機１３ｅはその底面側に配置されている。
【００１７】
商品収納室２０はショーケース本体１０の各側板１０ａ、天板１０ｂ、底面板１５及び背面板１６によって囲まれ、前面側から各商品棚３０に商品を出し入れできるようになっている。
【００１８】
各商品棚３０は、枠状に形成された棚本体３１と、棚本体３１の上方に配置される上部棚板３２と、棚本体３１の下方に配置される下部棚板３３と、棚本体３１を支持する左右一対のブラケット３４と、棚本体３１を前後方向にスライドさせる左右一対のスライドレール３５と、棚本体３１の前端に配置される商品ガード３６とから構成され、各商品棚３０は前方に向かって下り傾斜をなすように設けられている。この場合、各商品棚３０の後端とショーケース本体１０の背面板１６との間には空気を流通可能な隙間３０ａが設けられている。
【００１９】
棚本体３１は、その前端に商品ガード３６を着脱自在に保持する溝状の保持部３１ａを有し、幅方向両端には下方に延びる側面部３１ｂがそれぞれ設けられている。
【００２０】
上部棚板３２は、平板状に形成された上側部材３２ａ及び下側部材３２ｂからなり、上側部材３２ａの幅方向両端には上方に延びる側壁部３２ｃが設けられている。上部棚板３２は、上側部材３２ａと下側部材３２ｂとを互いに間隔をおいて組付けることによって箱状に形成され、棚本体３１の上面に固定されている。また、上部棚板３２の下面にはヒータ３２ｄが取付けられ、ヒータ３２ｄは商品棚３０上の商品を加熱する場合に使用される。
【００２１】
下部棚板３３は平板状に形成され、棚本体３１の下方に上部棚板３２の下面との間に所定間隔をおいて配置されている。即ち、上部棚板３２と下部棚板３３との間には、空気通路をなす棚ダクト３７が形成されている。棚ダクト３７は後端を空気を流入可能に開口するとともに、その幅方向両側面は下部棚板３３に取付けられた一対の側面板３３ａによって覆われている。棚ダクト３７内の空気は下部棚板３３に設けた多数の通気孔３３ｂから下方に吐出されるとともに、下部棚板３３の前端側からも前方に吐出されるようになっている。この場合、下部棚板３３の前端には各棚板３２，３３の間隔よりも高さ寸法の小さい前面壁３３ｃが設けられ、前面壁３３ｃの上端と棚本体３１との間の開口部３３ｄから空気が吐出させるようになっている。
【００２２】
各ブラケット３４は前後方向に延びるように形成され、下部棚板３３の各側面板３３ａに連結されている。また、各ブラケット３４の後端にはショーケース本体１０の背面板１６に係止する係止片３４ａが設けられており、係止片３４ａは背面板１６に設けた多数の孔（図示せず）のうち上下方向任意の孔に係止可能になっている。
【００２３】
各スライドレール３５は、互いにスライド自在に組付けられた一対のスライド部材３５ａ，３５ｂからなる周知のもので、棚本体３１の各側面部３１ｂの内側と各ブラケット３４との間にそれぞれ介在し、棚本体３１を各ブラケット３４に前後方向に移動自在に連結している。
【００２４】
各商品ガード３６は、例えばアクリル等の板状部材によって形成され、棚本体３１の保持部３１ａに着脱自在に取付られている。この場合、上方から第２段目乃至第５段目の商品棚３０に取付られる商品ガード３６の高さ寸法Ｈ１  に対し、最上段の商品棚３０に取付られる商品ガード３６′の高さ寸法Ｈ２  は、所定高さだけ大きく形成されている。即ち、最上段の商品ガード３６′は、最上段の商品棚３０上の空気の前方への流出を規制可能な流出規制部材をなす。
【００２５】
また、下部棚板３３の後端には棚ダクト３７内に空気を流入させる複数の第１の空気案内板３８が互いに幅方向に間隔をおいて取付けられている。各第１の空気案内板３８は、下部棚板３３と背面板１６との間の隙間３０ａ内に突出するように取付けられ、背面板１６に沿って下降する空気のうち、一部の空気が各第１の空気案内板３８によって棚ダクト３７側に案内されるようになっている。この場合、第１段目から第３段目の商品棚３０には第１の空気案内板３８が計３枚ずつ取付けられ（図３参照）、第４段目の商品棚３０には計５枚の第１の空気案内板３８が取付けられている（図５参照）。
【００２６】
更に、第２段目から第４段目の商品棚３０には、背面板１６に沿って下降する空気を商品棚３０と背面板１６との隙間３０ａ側に案内する第２の空気案内板３９がそれぞれ設けられている。各第２の空気案内板３９は棚本体３１の後端側に取付けられ、それぞれ上方に向かって延びるとともに、下降する空気を案内しやすいようにやや前傾して設けられている。
【００２７】
各商品棚３０の後方には、商品棚３０と背面板１６との隙間３０ａを幅方向両側方から覆う一対の第３の空気案内板４０が設けられている。各第３の空気案内板４０は上下方向に延びるゴム等の軟質部材からなり、それぞれショーケース本体１０の背面板１６に取付けられている。
【００２８】
尚、最下段の商品棚３０には前記棚ダクト３７は設けられておらず、その後端と背面板１６との隙間３０ａは流通規制板４１によって閉塞されている。
【００２９】
以上のように構成されたショーケースにおいては、送風機１３ｅによって空気吸入口１３ｃから通風路１３内に吸入した空気が冷却器１３ｄによって冷却され、この冷却空気が通風路１３の第１及び第２の空気吐出口１３ａ，１３ｂから吐出されることにより、商品収納室２０内が冷却される。第１の空気吐出口１３ａから吐出される空気は最上段の商品棚３０の上面に沿って前方に流通し、第２の空気吐出口１３ｂから吐出される空気は商品棚３０と背面板１６との隙間３０ａを通ってショーケース本体１０の背面板１６に沿って下降する。その際、背面板１６に沿って下降する空気は、各商品棚３０間を下降する際に各第２の空気案内板３９によって第２段目から第４段目の商品棚３０の上面側への流出を規制されるとともに、各第３の空気案内板４０によって各商品棚３０の側方への流出を規制される。
【００３０】
また、背面板１６に沿って下降する空気は、第１段目から第４段目の商品棚３０の各第１の空気案内板３８によって各棚ダクト３７の後端側に流入する。この場合、背面板１６に沿って下降する空気は、上方の商品棚３０から順次各棚ダクト３７内に流入するが、上段側（第１段目から第３段目）の商品棚３０の第１の空気案内板３８は、下段側（第４段目）の商品棚３０の第１の空気案内板３８よりも数が少なく設けられているため、上段側から下段側に亘って各商品棚３０の棚ダクト３７への空気流入量はほぼ均一になる。
【００３１】
次に、各棚ダクト３７内に流入した空気は、棚ダクト３７内を商品棚３０の前端側に向かって流通しながら下部棚板３３の各通気孔３３ｂから下方の商品棚３０の上面に向かって吐出される。これにより、各商品棚３０の棚ダクト３７から吐出された空気によって下方の商品棚３０の商品（図示せず）が冷却される。この場合、最上段の商品棚３０に取付られている商品ガード３６′の高さ寸法は、他の商品棚３０の商品ガード３６よりも大きく形成されているため、最上段の商品棚３０の上面側は他の商品棚３０よりも空気が溜まりやすくなっている。これにより、第１の空気吐出口１３ａから吐出された空気が必要以上に最上段の商品棚３０の前方から外部に流出することがない。また、各棚ダクト３７の前端側の開口部３３ｄからも各棚ダクト３７内の空気が吐出され、この吐出空気によって商品棚３０の前端側の結露が防止される。
【００３２】
このように、本実施形態のショーケースによれば、通風路１３の第１及び第２の空気吐出口１３ａ，１３ｂを商品収納室２０の上部後端側に設け、第２の空気吐出口１３ｂから吐出する空気を商品収納室２０内の背面板１６に沿って下降させるとともに、各商品棚３０の下面側には背面板１６に沿って下降する空気を商品棚３０の後端側から前端側に向かって流通させながら下方に吐出する棚ダクト３７を設けたので、各棚ダクト３７から下方の商品棚３０に向かって冷気を吐出させることができ、ショーケース本体１０の前面にエアカーテンを形成せずとも、各商品棚３０の商品を効率よく冷却することができる。従って、空気吐出口１３ａ，１３ｂを商品収納室の上部後端側に設けてショーケース本体１０の上面を透明な天板１０ｂによって形成することにより、上段側の商品棚３０への視認性を向上させることができるので、商品陳列効果を高めることができるという利点がある。
【００３３】
また、ショーケース本体１０の前面にエアカーテンを形成する必要がないので、従来のようにショーケース本体の上面側まで通風路を形成しなければならないという構造上の制限を受けることがなく、ショーケース本体のデザインの自由度を向上させることができるという利点もある。
【００３４】
更に、各棚ダクト３７の前端側に設けた開口部３３ｄからも棚ダクト３７内の空気を前方に吐出させるようにしたので、商品棚３０の前端側に結露を生じさせることがなく、結露水の付着を確実に防止することができる。
【００３５】
また、各棚ダクト３７を商品棚３０の上部棚板３２と下部棚板３３との間に形成するとともに、下部棚板３３に設けた多数の通気孔３３ｂから棚ダクト３７内の空気を下方に吐出するようにしたので、棚ダクト３７を簡単な構造によって構成することができ、製造コスト面においても有利である。この場合、棚ダクト３７内の空気が多数の通気孔３３ｂから吐出されるので、下方の商品棚３０の商品を満遍なく冷却することができる。
【００３６】
更に、背面板１６に沿って下降する空気を商品棚３０の後端に設けた複数の第１の空気案内板３８によって棚ダクト３７内に案内するようにしたので、棚ダクト３７内に空気を確実に流入させることができ、棚ダクト３７からの空気吐出量を十分に確保することができる。
【００３７】
この場合、上段側の商品棚３０の第１の空気案内板３８を下段側の商品棚３０の第１の空気案内板３８よりも数が少なくなるように設けたので、上段側から下段側に亘って各商品棚３０の棚ダクト３７への空気流入量をほぼ均一にすることができ、各商品棚３０の商品を満遍なく冷却することができる。
【００３８】
また、背面板１６に沿って下降する空気を商品棚３０の後端に設けた第２の空気案内板３９によって商品棚３０と背面板１６との隙間３０ａ側に案内するようにしたので、各商品棚３０間を下降する空気が商品棚３０の上面側に流出することがなく、各商品棚３０の後方に棚ダクト３７に流入させる空気の流れを確実に形成することができる。
【００３９】
更に、商品棚３０と背面板１６との間の隙間３０ａを各商品棚３０の後方に設けた一対の第３の空気案内板４０によって商品棚３０の幅方向両側方から覆うようにしたので、背面板１６に沿って下降する空気が商品棚３０の側方に流出することがなく、各商品棚３０の後方に棚ダクト３７に流入させる空気の流れを確実に形成することができる。
【００４０】
また、最上段の商品棚３０に取付られる商品ガード３６′の高さ寸法を他の商品棚３０の商品ガード３６よりも大きく形成したので、最上段の商品棚３０の上面側に他の商品棚３０よりも空気を溜まりやすくすることができる。これにより、第１の空気吐出口１３ａから吐出された空気が必要以上に最上段の商品棚３０の前方から外部に流出することがなく、その分だけ多くの空気を最上段の商品棚３０上から背面板１６に沿って下方の商品棚３０側に流通させることができる。
【００４１】
尚、前記実施形態では、最上段の商品棚３０に高さ寸法の大きい商品ガード３６′を取付けたものを示したが、上方の商品棚３０であれば、他の商品棚３０にも高さ寸法の大きい商品ガード３６′を取付けるようにしてもよい。
【００４２】
【発明の効果】
以上説明したように、請求項１のショーケースによれば、各商品棚から下方に吐出する冷気によって各商品棚の商品を冷却することができるので、ショーケース本体の前面にエアカーテンを形成せずとも、各商品棚の商品を効率よく冷却することができる。従って、例えばショーケース本体の上面を透明に形成することにより、上方の商品棚への視認性を向上させることができ、商品陳列効果を高めることができるという利点がある。また、ショーケース本体の前面にエアカーテンを形成する必要がないので、従来のようにショーケース本体の上面側まで通風路を形成しなければならないという構造上の制限を受けることがなく、ショーケース本体のデザインの自由度を向上させることができるという利点もある。
【００４３】
また、請求項２のショーケースによれば、請求項１の効果に加え、商品棚の前端側に結露を生じさせることがないので、結露水の付着を確実に防止することができる。
【００４４】
また、請求項３のショーケースによれば、請求項１または２の効果に加え、商品棚の空気通路を簡単な構造によって構成することができるので、製造コスト面においても有利である。この場合、空気通路内の空気が複数の通気孔から吐出されるので、下方の商品棚の商品を満遍なく冷却することができる。
【００４５】
また、請求項４のショーケースによれば、請求項１、２または３の効果に加え、商品棚の空気通路内に空気を確実に流入させることができるので、空気通路からの空気吐出量を十分に確保することができる。
【００４６】
また、請求項５のショーケースによれば、請求項４の効果に加え、各商品棚の空気通路への空気流入量をほぼ均一にすることができるので、各商品棚の商品を満遍なく冷却することができる。
【００４７】
また、請求項６のショーケースによれば、請求項１、２、３、４または５の効果に加え、各商品棚間を下降する空気が商品棚の上面側に流出することがないので、各商品棚の後方に空気通路に流入させる空気の流れを確実に形成することができる。
【００４８】
また、請求項７のショーケースによれば、請求項１、２、３、４、５または６の効果に加え、商品収納室の背面に沿って下降する空気が商品棚の側方に流出することがないので、各商品棚の後方に空気通路に流入させる空気の流れを確実に形成することができる。
【００４９】
また、請求項８のショーケースによれば、請求項１、２、３、４、５、７または８の効果に加え、上方の商品棚の上面側に空気を溜まりやすくすることができるので、通風路から吐出された空気が必要以上に上方の商品棚の前方から外部に流出することがなく、その分だけ多くの空気を商品収納室の背面に沿って下方の商品棚側に流通させることができる。
【図面の簡単な説明】
【図１】本発明の一実施形態を示すショーケースの全体斜視図
【図２】ショーケースの側面断面図
【図３】商品棚の分解斜視図
【図４】ショーケースの平面断面図
【図５】第４段目の下部棚板の斜視図
【図６】ショーケースの要部側面断面図
【符号の説明】
１０…ショーケース本体、１３…通風路、１３ａ…第１の空気吐出口、１３ｂ…第２の空気吐出口、１３ｃ…空気吸入口、２０…商品収納室、３０…商品棚、３２…上部棚板、３３…下部棚板、３３ｂ…通気孔、３６′…商品ガード、３７…棚ダクト、３８…第１の空気案内板、３９…第２の空気案内板、４０…第３の空気案内板。
【図１】
2004271118.tif 000003
【図２】
2004271118.tif 000004
【図３】
2004271118.tif 000005
【図４】
2004271118.tif 000006
【図５】
2004271118.tif 000007
【図６】
2004271118.tif 000008